(57)【要約】【課題】バッテリーのプリント回路基板を半田付けする際の半田上がり現象を最小化し、かつプリント回路基板の回路を保護することができる移動電子装置のバッテリー用レセプタクルコネクターを提供する。【解決手段】前記移動電子装置のプラグコネクターと電気的に接触される接触端子部と、前記接触端子部と一体に形成され、バッテリープリント回路基板の貫通孔にはめ込まれて半田付けされる接続端子部と、前記接続端子部を半田付けする際に前記バッテリープリント回路基板の前記貫通孔に流入する半田を収容するための半田収容空間を、前記接続端子部と共に形成するように、前記接続端子部の先端から折り曲げられて延び、前記接続端子部と共に前記バッテリープリント回路基板の前記貫通孔にはめ込まれて半田付けされる延長部と、を備える。【選択図】図１
2009146873.tif 000002
【特許請求の範囲】
【請求項１】
移動電子装置に脱着されるバッテリーのプリント回路基板に半田付けされて結合され、移動電子装置のプラグコネクターと電気的に接続する移動電子装置のバッテリー用レセプタクルコネクターであって、
前記移動電子装置のプラグコネクターと電気的に接触される接触端子部と、
前記接触端子部と一体に形成され、バッテリープリント回路基板の貫通孔にはめ込まれて半田付けされる接続端子部と、
前記接続端子部を半田付けする際に前記バッテリープリント回路基板の前記貫通孔に流入する半田を収容するための半田収容空間を、前記接続端子部と共に形成するように、前記接続端子部の先端から折り曲げられて延び、前記接続端子部と共に前記バッテリープリント回路基板の前記貫通孔にはめ込まれて半田付けされる延長部と、を備えることを特徴とする移動電子装置のバッテリー用レセプタクルコネクター。
【請求項２】
前記接続端子部及び前記延長部の少なくとも何れか一つの一側を半田付けする際に、前記半田収容空間に半田を流入させる半田流入口が形成されることを特徴とする請求項１に記載の移動電子装置のバッテリー用レセプタクルコネクター。
【請求項３】
前記接続端子部と前記延長部とが、全体的に「Ｖ」字状に形成されることを特徴とする請求項１又は２に記載の移動電子装置のバッテリー用レセプタクルコネクター。
【請求項４】
前記接続端子部と前記延長部とが、全体的に「Ｕ」字状に形成されることを特徴とする請求項１又は２に記載の移動電子装置のバッテリー用レセプタクルコネクター。
【請求項５】
前記延長部の先端から折り曲げられて延び、前記バッテリープリント回路基板の上部面に支持される固着部をさらに備えることを特徴とする請求項１又は２に記載の移動電子装置のバッテリー用レセプタクルコネクター。
【請求項６】
前記接続端子部と前記延長部の少なくとも何れか一つの外側に、前記バッテリープリント回路基板の半田付け面に支持される係止部が形成されることを特徴とする請求項１又は２に記載の移動電子装置のバッテリー用レセプタクルコネクター。
【発明の詳細な説明】
【技術分野】
【０００１】
本発明は、電気コネクターに関し、特に、移動電子装置のバッテリーに備えられるレセプタクルコネクターに関する。
【背景技術】
【０００２】
一般に、移動通信端末機等の移動電子装置は、脱着可能なバッテリーを具備し、バッテリーと移動電子装置とが電気的に接続されるように、バッテリーと移動電子装置とには、コネクターがそれぞれ備えられている。
【０００３】
コネクターによりバッテリーと移動電子装置とが電気的に接続する方式には、２通りの方式がある。すなわち、移動電子装置側のコネクターがバッテリー側のコネクターを弾性的に支持する方式と、バッテリー側のコネクターが移動電子装置側の端子を弾性的に収容する方式とがある。
【０００４】
ここで、移動電子装置側のコネクターがバッテリー側のコネクターを弾性的に支持する方式の場合には、移動電子装置にコネクターを装着する構造が複雑であり、かつ体積が大きくなるので、製造単価が高く、故障率が高いだけでなく、形状のスリム化に逆行するという問題があった。
【０００５】
一方、バッテリー側のコネクターが移動電子装置側の端子を弾性的に収容する方式として、下記日本国特許文献１に開示された「移動電子装置のバッテリ用キャップ」を参照すると、移動電子装置に脱着可能なバッテリ４の一側にハウジング２４が備えられ、ハウジング２４に複数のコネクタ１２が備えられている。コネクタ１２は、プリント回路基板１０に固定されて、バッテリ４の電気回路に電気的に接続される。
【０００６】
プリント回路基板１０には、コネクタ１２がはめ込まれる複数の貫通孔２６が形成されるが、コネクタ１２が貫通孔２６にはめ込まれた状態で半田付け（ｓｏｌｄｅｒｉｎｇ）される時に、フィレットが形成される面の反対側の面に、貫通孔２６を介してフラックス（ｆｌｕｘ）が湧出する半田上がり現象が発生して、プリント回路基板１０の回路が短絡する等の不良が発生するという問題点があった。
【０００７】
そのため、従来では、貫通孔２６をビニール膜（フィルム）で覆い、コネクタ１２がビニール膜を貫通しつつはめ込まれた状態で半田付けする場合もあったが、この場合にも、半田付け温度によりビニール膜が溶融されて、貫通孔２６への半田上がり現象が依然として発生するという問題点があった。
【特許文献１】特開２００６−１９２８７号公報
【発明の開示】
【発明が解決しようとする課題】
【０００８】
本発明は、従来の移動電子装置のバッテリー用レセプタクルコネクターが持っている問題点を改善するためになされたものであって、その目的は、バッテリーのプリント回路基板を半田付けする際の半田上がり現象を最小化し、かつプリント回路基板の回路を保護することができる移動電子装置のバッテリー用レセプタクルコネクターを提供することにある。
【課題を解決するための手段】
【０００９】
上記の目的を達成すべく、本発明による移動電子装置のバッテリー用レセプタクルコネクターは、前記移動電子装置のプラグコネクターと電気的に接触される接触端子部と、前記接触端子部と一体に形成され、バッテリープリント回路基板の貫通孔にはめ込まれて半田付けされる接続端子部と、前記接続端子部を半田付けする際に前記バッテリープリント回路基板の前記貫通孔に流入する半田を収容するための半田収容空間を、前記接続端子部と共に形成するように、前記接続端子部の先端から折り曲げられて延び、前記接続端子部と共に前記バッテリープリント回路基板の前記貫通孔にはめ込まれて半田付けされる延長部と、を備えることを特徴とする。
【００１０】
好ましくは、前記接続端子部及び前記延長部の少なくとも何れか一つの一側を半田付けする際に、前記半田収容空間に半田を流入させる半田流入口が形成される。
【００１１】
前記接続端子部と前記延長部とは、全体的に「Ｖ」字状に形成されることができる。また、前記接続端子部と前記延長部とは、全体的に「Ｕ」字状に形成されることもできる。
【００１２】
好ましくは、本発明は、前記延長部の先端から折り曲げられて延び、前記バッテリープリント回路基板の上部面に支持される固着部をさらに備える。
【００１３】
さらに好ましくは、前記接続端子部と前記延長部の少なくとも何れか一つの外側に、前記バッテリープリント回路基板の半田付け面に支持される係止部が形成される。
【発明の効果】
【００１４】
本発明による移動電子装置のバッテリー用レセプタクルコネクターによれば、バッテリーのプリント回路基板を半田付けする際の半田上がり現象を最小化して、プリント回路基板の回路を保護することができ、プリント回路基板に堅固に結合することができるという効果がある。
【発明を実施するための最良の形態】
【００１５】
以下、添付した図面を参照して、本発明による移動電子装置のバッテリー用レセプタクルコネクターの好ましい実施の形態を詳細に説明する。
【００１６】
図１〜図７に示すように、本発明の一実施の形態による移動電子装置のバッテリー用レセプタクルコネクターは、移動電子装置のプラグコネクター２と電気的に接触される接触端子部１０と、バッテリープリント回路基板１の貫通孔１ａにはめ込まれて半田付けされる接続端子部２０と、接続端子部２０を半田付けする際にバッテリープリント回路基板１の貫通孔１ａに流入する半田を収容する空間を接続端子部２０と共に形成するように、接続端子部２０の先端から折り曲げられて延びる延長部３０とを備える。
【００１７】
接触端子部１０は、移動電子装置のプラグコネクター２の差込方向を横切る方向へ移動しつつ、プラグコネクター２を弾性的に支持し、かつプラグコネクター２と電気的に接続される。
【００１８】
接続端子部２０は、接触端子部１０に連続して一体に形成され、バッテリープリント回路基板１の貫通孔１ａにはめ込まれる。
【００１９】
延長部３０は、接続端子部２０の下端から片持ち梁状に延びるように、例えば一体の部材が折り曲げられて形成されている。
【００２０】
すなわち、接続端子部２０と延長部３０とは、全体的に「Ｖ」字状に形成され、延長部３０は、接続端子部２０に対して弾性的に変形する。したがって、接続端子部２０と延長部３０とが貫通孔１ａにはめ込まれるとき、接続端子部２０と延長部３０とがなす夾角が小さくなりつつ弾性的にはめ込まれる。
【００２１】
一方、接続端子部２０と延長部３０とが「Ｖ」字状に形成される場合には、接続端子部２０と延長部３０との交差部分が尖状に形成されて、破壊されるおそれがあるので、接続端子部２０と延長部３０とを「Ｕ」字状に形成することも可能である。
【００２２】
延長部３０は、接続端子部２０と共にバッテリープリント回路基板１の貫通孔１ａにはめ込まれて半田付けされる。
【００２３】
接続端子部２０と延長部３０との一側には、半田付けをする際に半田収容空間２５に半田を流入させる半田流入口２６がそれぞれ形成されている。
【００２４】
半田流入口２６に関しては、接続端子部２０と延長部３０との一側が切開されて半田が出入できる空間を形成する。図３に示すように、半田流入口２６は、「Ｖ」字状の溝として形成されることができる。
【００２５】
図４と図６とに示すように、接続端子部２０と延長部３０とが貫通孔１ａにはめ込まれて固着された状態で、プリント回路基板１の底面１ｂで半田付けをすると、半田流入口２６を介して半田収容空間２５に液状の半田が流入することによって、プリント回路基板１の上部面１ｃまで半田が到達するのを抑制することができる。
【００２６】
すなわち、接続端子部２０及び延長部３０と貫通孔１ａの内側壁との間には、遊隙１ｄがあるので、この空間を介して半田の一部がプリント回路基板１の上部面１ｃ側に移動し、殆どの半田は、半田流入口２６を介して半田収容空間２５に流入する。
【００２７】
したがって、半田付け作業時に、液状の半田が接続端子部２０又は延長部３０に沿ってプリント回路基板１の上部面１ｃへ移動する半田上がり現象（半田が上部面から大きく突出する現象）を最小化させることができ、それによって、プリント回路基板１の上部面に形成された回路を保護することができる。
【００２８】
半田収容空間２５に流入した液状の半田は硬化して、接続端子部２０及び延長部３０と共に、固体の塊を形成する。それとともに、半田収容空間２５の半田を含む貫通孔１ａの内部の半田が、貫通孔１ａの内側壁に溶着され、かつ半田の一部が、プリント回路基板１の底面にフィレットを形成することによって、接続端子部２０と延長部３０とを堅固に支持する。
【００２９】
貫通孔１ａの内部で硬化した半田は、貫通孔１ａの内側壁、接続端子部２０及び延長部３０を一体に支持することによって、接続端子部２０と延長部３０とをプリント回路基板１に堅固に結合させることができる。
【００３０】
延長部３０の先端には、バッテリープリント回路基板１の上部面１ｃに支持される固着部４０が、延長部３０の先端から延びている。
【００３１】
固着部４０は、延長部３０の先端からプリント回路基板１の上部面１ｃ側に曲がるように、例えば一体の部材が折り曲げられて形成されている。固着部４０はプリント回路基板１の上部面１ｃに支持され、それによって、延長部３０が貫通孔１ａに挿入される程度（深さの限界）を定める。
【００３２】
すなわち、固着部４０が、プリント回路基板１の上部面１ｃに係止されて支持されることによって、接続端子部２０及び延長部３０は、プリント回路基板１の上部面１ｃから一定の距離以上突出せずに、一定の位置に停止することができる。
【００３３】
ガイドアームを参照すると、バッテリープリント回路基板１の底面１ｂに支持される係止部５０が、接続端子部２０の外側に形成されることができる（図７参照）。係止部５０は、延長部３０の外側に形成されてもよい。また、係止部５０は、接続端子部２０及び延長部３０の各々の外側に形成されてもよい。
【００３４】
係止部５０は、貫通孔１ａを介してプリント回路基板１の上部面１ｃ側に突出した接続端子部２０と延長部３０とが、プリント回路基板１の底面１ｂ側に復元できないように、接続端子部２０と延長部３０とを支持する。
【００３５】
すなわち、係止部５０は、プリント回路基板１の上部面１ｃ側に突出した接続端子部２０と延長部３０との外側面に形成されて、プリント回路基板１の上部面１ｃの貫通孔１ａに係止される。それによって、接続端子部２０と延長部３０とは、はめ込まれた方向の逆方向へ復元しないように阻止される。
【図面の簡単な説明】
【００３６】
【図１】本発明の一実施形態に係る移動電子装置のバッテリー用レセプタクルコネクターを示す一側面図である。
【図２】本発明の一実施形態に係る移動電子装置のバッテリー用レセプタクルコネクターを示す一側面図である。
【図３】図１のＡ−Ａ線に沿う横断面図である。
【図４】図１に示す移動電子装置のバッテリー用レセプタクルコネクターの取付状態を示す概略的な一側面図である。
【図５】図１に示す移動電子装置のバッテリー用レセプタクルコネクターの取付状態を示す概略的な一側面図である。
【図６】図５の「Ｘ」部分の拡大図である。
【図７】本発明の他の実施形態に係る移動電子装置のバッテリー用レセプタクルコネクターの取付状態を示す一側面図である。
【符号の説明】
【００３７】
１      プリント回路基板
１ａ    貫通孔
１ｂ    底面
１ｃ    上部面
１ｄ    遊隙
２      プラグコネクター
１０    接触端子部
２０    接続端子部
２５    半田収容空間
２６    半田流入口
３０    延長部
４０    固着部
５０    係止部
【図１】
2009146873.tif 000003
【図２】
2009146873.tif 000004
【図３】
2009146873.tif 000005
【図４】
2009146873.tif 000006
【図５】
2009146873.tif 000007
【図６】
2009146873.tif 000008
【図７】
2009146873.tif 000009